(57)【特許請求の範囲】
【請求項１】
生産プラントからプロセスデータ及び少なくとも映像を含む監視データを取り込んで蓄積し、当該蓄積したプロセスデータ及び監視データを用いて当該生産プラントにおける異常解析並びに生産製品の品質管理を行う生産プラント監視装置により構成されると共に、当該生産プラントに近接した場所に設置された監視サーバと、通信網を介して前記監視サーバと接続されて遠隔設置されると共に、当該監視サーバから取り込んだ前記プロセスデータ及び前記監視データを用いて前記生産プラントの異常解析並びに前記生産製品の品質管理を行う監視端末と、を備えた生産プラント監視システムであって、
前記生産プラント監視装置は、前記生産プラントから取り込んだ前記プロセスデータを収集するプロセスデータ収集手段と、前記生産プラントから取り込んだ前記監視データを収集するデータ収集手段と、前記プロセスデータ及び前記監視データに対して取り込み時刻の情報を付与する時刻付与手段と、前記取り込み時刻の情報が付与された前記プロセスデータを蓄積するプロセスデータ蓄積手段と、前記取り込み時刻の情報が付与された前記監視データを蓄積する監視データ蓄積手段と、指定された取り込み開始時刻から取り込み終了時刻までの間、前記プロセスデータ蓄積手段から前記プロセスデータを抽出すると共に、指定された当該取り込み開始時刻から当該取り込み終了時刻までの間、前記監視データ蓄積手段から前記監視データを抽出して当該プロセスデータと当該監視データとのセットであるデータパックを構築するデータパック手段と、前記データパックを蓄積するデータ蓄積手段と、を備え、
前記監視端末は、取得したいデータの開示時刻と終了時刻とを指定する時刻指定情報を前記監視サーバへ送信するデータ取得手段と、前記データ取得手段により前記通信網を介して前記監視サーバから前記時刻指定情報に基づいて取り込んだ前記データパックを格納する端末側データ蓄積手段と、表示画面を監視画面とする表示装置と、を備えると共に、当該データパックの指定したものを当該端末側データ蓄積手段から取り出して前記プロセスデータに付与された前記取り込み時刻の情報と前記監視データに付与された前記取り込み時刻の情報とを用い、当該監視画面上に対して当該プロセスデータと当該監視データに含まれる映像データとを同期再生して表示するとき、当該プロセスデータと同期した当該映像データが当該データパックに含まれている時刻と含まれていない時刻とを判定するための同期性成否情報を合わせて表示することを特徴とする生産プラント監視システム。
【請求項２】
請求項１記載の生産プラント監視システムにおいて、前記データパック手段は、前記プロセスデータの値の振る舞いが所定の条件に合致した時刻を特定し、当該時刻に関連付けて前記監視データ蓄積手段から前記監視データを選択的に抽出することにより、前記データパックを構築することを特徴とする生産プラント監視システム。
【請求項３】
請求項１又は２記載の生産プラント監視システムにおいて、前記データパック手段は、前記監視データに関し、指定されたプロセスデータの値の変動が大きい時間帯にあるデータについてのみを前記監視データ蓄積手段から抽出して前記データパックを構築することを特徴とする生産プラント監視システム。
【請求項４】
請求項１又は２記載の生産プラント監視システムにおいて、前記データパック手段は、前記監視データに関し、指定されたプロセスデータの値の変動が大きい時間帯にあるデータについては、大きな解像度で前記監視データ蓄積手段から抽出し、当該プロセスデータの値の変動が小さい時間帯にあるデータについては、小さな解像度で当該監視データ蓄積手段から抽出して前記データパックを構築することを特徴とする生産プラント監視システム。
【請求項５】
請求項１又は２記載の生産プラント監視システムにおいて、前記データパック手段は、前記監視データに含まれる映像データに関し、指定されたプロセスデータの値の変動が大きい時間帯にあるデータについては、単位時間の映像コマ数を大きな値として前記監視データ蓄積手段から抽出し、当該プロセスデータの値の変動が小さい時間帯にあるデータについては、単位時間の映像コマ数を小さな値として当該監視データ蓄積手段から抽出して前記データパックを構築することを特徴とする生産プラント監視システム。
【請求項６】
請求項１〜５の何れか１項記載の生産プラント監視システムにおいて、前記監視端末は、前記データパックの指定したものを前記端末側データ蓄積手段から取り出して前記監視画面上に対して前記プロセスデータと前記監視データに含まれる前記映像データとを再生表示することを特徴とする生産プラント監視システム。
【請求項７】
熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、
前記圧延プラントから取り込んだ前記プロセスデータを収集するプロセスデータ収集手段と、前記圧延プラントから取り込んだ前記監視データを収集する監視データ収集手段と、前記プロセスデータ及び前記監視データに対して取り込み時刻の情報を付与する時刻付与手段と、コイル名を前記プロセスデータ及び前記監視データに対して付与するコイル名付与手段と、前記取り込み時刻の情報と前記コイル名とが付与された前記プロセスデータを蓄積するプロセスデータ蓄積手段と、前記取り込み時刻の情報と前記コイル名とが付与された前記監視データを蓄積する監視データ蓄積手段と、指定された前記コイル名に該当する前記プロセスデータを前記プロセスデータ蓄積手段から抽出すると共に、指定された当該コイル名に該当する前記監視データの中で指定された条件に合致したデータを前記監視データ蓄積手段から選択的に抽出して当該コイル名と紐付けられた当該プロセスデータ及び当該監視データのセットであるデータパックを構築するデータパック手段と、前記データパックを蓄積するデータ蓄積手段と、を備え、
前記データパック手段は、前記監視データに含まれる映像データに関し、前記コイル名で示されるコイルと当該コイルの繋ぎ目である溶接点近傍とのデータについてのみを前記監視データ蓄積手段から抽出して前記データパックを構築することを特徴とする圧延プラント監視装置。
【請求項８】
熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、
前記圧延プラントから取り込んだ前記プロセスデータを収集するプロセスデータ収集手段と、前記圧延プラントから取り込んだ前記監視データを収集する監視データ収集手段と、前記プロセスデータ及び前記監視データに対して取り込み時刻の情報を付与する時刻付与手段と、コイル名を前記プロセスデータ及び前記監視データに対して付与するコイル名付与手段と、前記取り込み時刻の情報と前記コイル名とが付与された前記プロセスデータを蓄積するプロセスデータ蓄積手段と、前記取り込み時刻の情報と前記コイル名とが付与された前記監視データを蓄積する監視データ蓄積手段と、指定された前記コイル名に該当する前記プロセスデータを前記プロセスデータ蓄積手段から抽出すると共に、指定された当該コイル名に該当する前記監視データの中で指定された条件に合致したデータを前記監視データ蓄積手段から選択的に抽出して当該コイル名と紐付けられた当該プロセスデータ及び当該監視データのセットであるデータパックを構築するデータパック手段と、前記データパックを蓄積するデータ蓄積手段と、を備え、
前記データパック手段は、前記監視データに含まれる映像データに関し、前記コイル名で示されるコイルと当該コイルの繋ぎ目である溶接点近傍とのデータについては、大きな解像度として前記監視データ蓄積手段から抽出し、当該溶接点近傍以外のデータについては、小さな解像度として当該監視データ蓄積手段から抽出して前記データパックを構築することを特徴とする圧延プラント監視装置。
【請求項９】
熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、
前記圧延プラントから取り込んだ前記プロセスデータを収集するプロセスデータ収集手段と、前記圧延プラントから取り込んだ前記監視データを収集する監視データ収集手段と、前記プロセスデータ及び前記監視データに対して取り込み時刻の情報を付与する時刻付与手段と、コイル名を前記プロセスデータ及び前記監視データに対して付与するコイル名付与手段と、前記取り込み時刻の情報と前記コイル名とが付与された前記プロセスデータを蓄積するプロセスデータ蓄積手段と、前記取り込み時刻の情報と前記コイル名とが付与された前記監視データを蓄積する監視データ蓄積手段と、指定された前記コイル名に該当する前記プロセスデータを前記プロセスデータ蓄積手段から抽出すると共に、指定された当該コイル名に該当する前記監視データの中で指定された条件に合致したデータを前記監視データ蓄積手段から選択的に抽出して当該コイル名と紐付けられた当該プロセスデータ及び当該監視データのセットであるデータパックを構築するデータパック手段と、前記データパックを蓄積するデータ蓄積手段と、を備え、
前記データパック手段は、前記監視データに含まれる映像データに関し、前記コイル名で示されるコイルと当該コイルの繋ぎ目である溶接点近傍とのデータについては、単位時間の映像コマ数を大きな値として前記監視データ蓄積手段から抽出し、当該溶接点近傍以外のデータについては、単位時間の映像コマ数を小さな値として当該監視データ蓄積手段から抽出して前記データパックを構築することを特徴とする圧延プラント監視装置。
【請求項１０】
請求項７〜９の何れか１項記載の圧延プラント監視装置により構成されると共に、前記圧延プラントに近接する場所に設置された監視サーバと、通信網を介して前記監視サーバと接続されて遠隔設置されると共に、当該監視サーバから取り込んだ前記プロセスデータ及び前記監視データを用いて当該圧延プラントの異常解析並びに前記コイルの品質管理を行う監視端末と、を備えた圧延プラント監視システムであって、
前記監視端末は、取得したいデータの開示時刻と終了時刻とを指定する時刻指定情報を前記監視サーバへ送信するデータ取得手段と、前記データ取得手段により前記通信網を介して前記監視サーバから前記時刻指定情報に基づいて取り込んだ前記データパックを格納する端末側データ蓄積手段と、表示画面を監視画面とする表示装置と、を備えると共に、当該データパックの指定したものを当該端末側データ蓄積手段から取り出して前記プロセスデータに付与された前記取り込み時刻の情報と前記映像データに付与された前記取り込み時刻の情報とを用い、当該監視画面上に対して当該プロセスデータ、及び当該映像データとしてコイル名で示されるコイルと当該コイルの繋ぎ目である溶接点近傍とのデータを同期再生して表示するとき、当該プロセスデータと同期した当該コイル名で示されるコイルと当該コイルの繋ぎ目である当該溶接点近傍とのデータが前記データパックに含まれている時刻と含まれていない時刻とを判定するための同期性成否情報を合わせて表示することを特徴とする圧延プラント監視システム。
【請求項１１】
請求項１０記載の圧延プラント監視システムにおいて、前記監視端末は、前記データパックの指定したものを前記端末側データ蓄積手段から取り出して前記監視画面上に対して前記プロセスデータ及び前記映像データを再生して表示することを特徴とする圧延プラント監視システム。
【請求項１２】
遠隔設置される監視端末と通信網を介して接続されると共に、生産プラントに近接した場所に設置された監視サーバで蓄積したデータを用いて当該監視端末側で当該生産プラントの異常解析並びに生産製品の品質管理を行う生産プラント遠隔監視方法であって、
前記監視サーバ側で前記生産プラントからプロセスデータ及び少なくとも映像を含む監視データを収集すると共に、当該プロセスデータ及び当該監視データに対して取り込み時刻の情報を付与する第１の工程と、前記監視サーバ側で前記取り込み時刻の情報が付与された前記プロセスデータを蓄積すると共に、前記取り込み時刻の情報が付与された前記監視データを蓄積する第２の工程と、前記監視端末側でデータ取得に要する開始時刻及び終了時刻、前記監視データを選択する目的で着目するプロセスデータ、並びに当該プロセスデータの選択条件を指定する第３の工程と、前記監視サーバ側で前記データ取得に要する開始時刻から終了時刻までの前記プロセスデータと前記着目するプロセスデータとの振る舞いが前記選択条件に合致した前記監視データを前記通信網を介して前記監視端末へ伝送する第４の工程と、前記監視端末側で前記プロセスデータに付与された前記取り込み時刻の情報と前記監視データに付与された前記取り込み時刻の情報とを用いて監視画面上に対して当該プロセスデータ及び当該監視データに含まれる映像データを同期再生して表示する第５の工程と、前記監視端末側で前記監視画面上に対して前記プロセスデータ及び前記映像データを同期再生して表示するとき、当該プロセスデータと同期した当該映像データが当該プロセスデータと前記監視データとのセットであるデータパックに含まれている時刻と含まれていない時刻とを判定するための同期性成否情報を合わせて表示する第６の工程と、を有することを特徴とする生産プラント遠隔監視方法。
【請求項１３】
遠隔設置される監視端末と通信網を介して接続されると共に、熱間圧延プラント、冷間圧延プラント、及びプロセッシングラインを含む圧延プラントに近接した場所に設置された監視サーバで蓄積したデータを用いて当該監視端末側で当該圧延プラントの異常解析並びに生産製品であるコイルの品質管理を行う圧延プラント遠隔監視方法であって、
前記監視サーバ側で前記圧延プラントからプロセスデータ及び少なくとも映像を含む監視データを収集する共に、当該プロセスデータ及び当該監視データに対して取り込み時刻の情報を付与する第１の工程と、前記監視端末側で前記プロセスデータ及び前記監視データに対して取り込み時刻の情報を付与する第２の工程と、前記監視端末側で前記コイルに対応するコイル名を前記プロセスデータ及び前記監視データに付与する第３の工程と、前記監視端末側で前記取り込み時刻の情報と前記コイル名とが付与された前記プロセスデータを蓄積すると共に、当該取り込み時刻の情報と当該コイル名とが付与された前記監視データを蓄積する第４の工程と、前記監視端末側で前記コイル名と前記監視データとを選択する目的で着目するプロセスデータ、並びに当該プロセスデータの選択条件を指定する第５の工程と、前記監視サーバ側で前記コイル名に対応した前記プロセスデータと前記着目するプロセスデータとの振る舞いが前記選択条件に合致した前記監視データを前記通信網を介して前記監視端末へ伝送する第６の工程と、前記監視端末側で前記プロセスデータに付与された前記取り込み時刻の情報と前記監視データに付与された前記取り込み時刻の情報とを用いて監視画面上に対して当該プロセスデータ、及び当該監視データに含まれる映像データとして前記コイル名で示されるコイルと当該コイルの繋ぎ目である溶接点近傍とのデータを同期再生して表示する第７の工程と、前記監視端末側で前記監視画面上に対して前記同期再生表示時に前記プロセスデータと同期した前記コイル名で示されるコイルと当該コイルの繋ぎ目である前記溶接点近傍とのデータが当該コイル名と紐付けられた当該プロセスデータ及び前記監視データのセットであるデータパックに含まれている時刻と含まれていない時刻とを判定するための同期性成否情報を合わせて表示する第８の工程と、を有することを特徴とする圧延プラント遠隔監視方法。
【発明の詳細な説明】
【技術分野】
【０００１】
本発明は、生産製品の状態を検出・監視する生産プラント監視技術に係り、詳しくは発生した品質不良や操業トラブルの解析や診断を生産プラントから採取したプロセスデータ、映像を含む監視データを用いて遠隔から行うのに好適な生産プラント監視装置及びシステム、生産製品がコイルであるときの圧延プラント監視システム、生産プラント遠隔監視方法、並びに圧延プラント遠隔監視方法に関する。
【背景技術】
【０００２】
従来、生産プラントの監視に適用可能な周知技術としては、映像データを伝送する際、その重要性と伝送容量に配慮してデータ伝送量を適正化する「動画像通信システム」（特許文献１参照）等が挙げられる。
【０００３】
この動画像通信システムでは、映像の詳しく見たい部分の解像度を高くし、そうでない部分の解像度を低くすることにより、データ伝送量を許容伝送量の範囲内に収める手法が開示されている。
【０００４】
因みに、生産製品がコイルである場合の品質判定に係る周知技術としては、製品としてユーザに渡す鋼帯コイルに不良品を殆ど混入させることのない「鋼帯コイルの品質判定方法及び装置」（特許文献２参照）等が挙げられる。
【先行技術文献】
【特許文献】
【０００５】
【特許文献１】特開平７−２８８８０６号公報
【特許文献２】特開平９−８５３１５号公報
【発明の概要】
【発明が解決しようとする課題】
【０００６】
上述した既存の生産プラントの監視に適用可能な技術では、例えば特許文献１記載の手法を生産プラントからの映像データ、プロセスデータ（通常、生産プラントは生産製品の状態を検出・監視するための複数のセンサと撮影手段とを有し、撮影手段から映像データが得られ、各センサからプロセスデータが得られる）が混在した情報を用いて生産プラントの操業異常を遠隔設置された端末で監視する目的で使用すると、映像データとして詳しく見たい部分が高解像度となり、そうでない部分が低解像度となって重要性に配慮したデータ伝送量が適正化される機能が構築されるとしても、解析に必要な生産製品の最小限の映像データとプロセスデータを対応づけて遠隔設置された端末側に提供されるものではないため、データ伝送上で合理的に高応答化することができないという問題がある。即ち、特許文献１記載の手法では、例えば生産プラントで解析したい生産製品の映像である操業異常に対応した時間帯の映像データや品質不良が発生した生産製品の不良部位に対応した時刻の映像データを遠隔設置された端末側にローディングして高応答化する機能が構築されることはないため、遠隔監視の用途では適用性が乏しい。
【０００７】
また、特許文献２の技術では、時間帯に応じてコイルの映像データを選択的に伝送することが配慮されておらず、異常や品質不良が起こっていない良好な操業に対応した映像データに関し、も決められた時刻毎に機械的に伝送する機能であり、解析に不要な映像データも大量に伝送されてしまう可能性も高く、遠隔保守での応答性を低下させてしまうために適用性が乏しいという問題がある。即ち、特許文献２記載の手法によっても、例えば圧延プラントで解析したいコイルの映像である操業異常に対応した時間帯の映像データや品質不良が発生したコイルの不良部位に対応した時刻の映像データを遠隔設置された端末側にローディングして高応答化する機能が構築されることはないため、遠隔監視の用途では適用性が乏しい。
【０００８】
本発明は、このような問題点を解決すべくなされたもので、その技術的課題は、生産プラントで生産製品を遠隔監視するときにサーバ側から解析に必要な最小限の映像データをプロセスデータと対応づけて遠隔設置された端末側にローディングして高応答化機能を構築できる生産プラント監視システム、圧延プラント監視装置及びシステム、生産プラント遠隔監視方法、並びに圧延プラント遠隔監視方法を提供することにある。
【課題を解決するための手段】
【０００９】
上記技術的課題を解決するため、本発明の第１の手段は、生産プラントからプロセスデータ及び少なくとも映像を含む監視データを取り込んで蓄積し、当該蓄積したプロセスデータ及び監視データを用いて当該生産プラントにおける異常解析並びに生産製品の品質管理を行う生産プラント監視装置により構成されると共に、当該生産プラントに近接した場所に設置された監視サーバと、通信網を介して監視サーバと接続されて遠隔設置されると共に、当該監視サーバから取り込んだプロセスデータ及び監視データを用いて生産プラントの異常解析並びに生産製品の品質管理を行う監視端末と、を備えた生産プラント監視システムであって、生産プラント監視装置は、生産プラントから取り込んだプロセスデータを収集するプロセスデータ収集手段と、生産プラントから取り込んだ監視データを収集するデータ収集手段と、プロセスデータ及び監視データに対して取り込み時刻の情報を付与する時刻付与手段と、取り込み時刻の情報が付与されたプロセスデータを蓄積するプロセスデータ蓄積手段と、取り込み時刻の情報が付与された監視データを蓄積する監視データ蓄積手段と、指定された取り込み開始時刻から取り込み終了時刻までの間、プロセスデータ蓄積手段からプロセスデータを抽出すると共に、指定された当該取り込み開始時刻から当該取り込み終了時刻までの間、監視データ蓄積手段から監視データを抽出して当該プロセスデータと当該監視データとのセットであるデータパックを構築するデータパック手段と、データパックを蓄積するデータ蓄積手段と、を備え、監視端末は、取得したいデータの開示時刻と終了時刻とを指定する時刻指定情報を監視サーバへ送信するデータ取得手段と、データ取得手段により通信網を介して監視サーバから時刻指定情報に基づいて取り込んだデータパックを格納する端末側データ蓄積手段と、表示画面を監視画面とする表示装置と、を備えると共に、当該データパックの指定したものを当該端末側データ蓄積手段から取り出してプロセスデータに付与された取り込み時刻の情報と監視データに付与された取り込み時刻の情報とを用い、当該監視画面上に対して当該プロセスデータと当該監視データに含まれる映像データとを同期再生して表示するとき、当該プロセスデータと同期した当該映像データが当該データパックに含まれている時刻と含まれていない時刻とを判定するための同期性成否情報を合わせて表示することを特徴とする。
【００１０】
本発明の第２の手段は、熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、圧延プラントから取り込んだプロセスデータを収集するプロセスデータ収集手段と、圧延プラントから取り込んだ監視データを収集する監視データ収集手段と、プロセスデータ及び監視データに対して取り込み時刻の情報を付与する時刻付与手段と、コイル名をプロセスデータ及び監視データに対して付与するコイル名付与手段と、取り込み時刻の情報とコイル名とが付与されたプロセスデータを蓄積するプロセスデータ蓄積手段と、取り込み時刻の情報とコイル名とが付与された監視データを蓄積する監視データ蓄積手段と、指定されたコイル名に該当するプロセスデータをプロセスデータ蓄積手段から抽出すると共に、指定された当該コイル名に該当する監視データの中で指定された条件に合致したデータを監視データ蓄積手段から選択的に抽出して当該コイル名と紐付けられた当該プロセスデータ及び当該監視データのセットであるデータパックを構築するデータパック手段と、データパックを蓄積するデータ蓄積手段と、を備え、データパック手段は、監視データに含まれる映像データに関し、コイル名で示されるコイルと当該コイルの繋ぎ目である溶接点近傍とのデータについてのみを監視データ蓄積手段から抽出してデータパックを構築することを特徴とする。
【００１１】
本発明の第３の手段は、熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、圧延プラントから取り込んだプロセスデータを収集するプロセスデータ収集手段と、圧延プラントから取り込んだ監視データを収集する監視データ収集手段と、プロセスデータ及び監視データに対して取り込み時刻の情報を付与する時刻付与手段と、コイル名をプロセスデータ及び監視データに対して付与するコイル名付与手段と、取り込み時刻の情報とコイル名とが付与されたプロセスデータを蓄積するプロセスデータ蓄積手段と、取り込み時刻の情報とコイル名とが付与された監視データを蓄積する監視データ蓄積手段と、指定されたコイル名に該当するプロセスデータをプロセスデータ蓄積手段から抽出すると共に、指定された当該コイル名に該当する監視データの中で指定された条件に合致したデータを監視データ蓄積手段から選択的に抽出して当該コイル名と紐付けられた当該プロセスデータ及び当該監視データのセットであるデータパックを構築するデータパック手段と、データパックを蓄積するデータ蓄積手段と、を備え、データパック手段は、監視データに含まれる映像データに関し、コイル名で示されるコイルと当該コイルの繋ぎ目である溶接点近傍とのデータについては、大きな解像度として監視データ蓄積手段から抽出し、当該溶接点近傍以外のデータについては、小さな解像度として当該監視データ蓄積手段から抽出してデータパックを構築することを特徴とする。
【００１２】
本発明の第４の手段は、熱間圧延プラント、冷間圧延プラント、及びプロセッシングラインを含む圧延プラントからプロセスデータ及び少なくとも映像を含む監視データを取り込んで蓄積し、当該蓄積したプロセスデータ及び監視データを用いて当該圧延プラントの異常解析並びに生産製品であるコイルの品質管理を行う圧延プラント監視装置であって、圧延プラントから取り込んだプロセスデータを収集するプロセスデータ収集手段と、圧延プラントから取り込んだ監視データを収集する監視データ収集手段と、プロセスデータ及び監視データに対して取り込み時刻の情報を付与する時刻付与手段と、コイル名をプロセスデータ及び監視データに対して付与するコイル名付与手段と、取り込み時刻の情報とコイル名とが付与されたプロセスデータを蓄積するプロセスデータ蓄積手段と、取り込み時刻の情報とコイル名とが付与された監視データを蓄積する監視データ蓄積手段と、指定されたコイル名に該当するプロセスデータをプロセスデータ蓄積手段から抽出すると共に、指定された当該コイル名に該当する監視データの中で指定された条件に合致したデータを監視データ蓄積手段から選択的に抽出して当該コイル名と紐付けられた当該プロセスデータ及び当該監視データのセットであるデータパックを構築するデータパック手段と、データパックを蓄積するデータ蓄積手段と、を備え、データパック手段は、監視データに含まれる映像データに関し、コイル名で示されるコイルと当該コイルの繋ぎ目である溶接点近傍とのデータについては、単位時間の映像コマ数を大きな値として監視データ蓄積手段から抽出し、当該溶接点近傍以外のデータについては、単位時間の映像コマ数を小さな値として当該監視データ蓄積手段から抽出してデータパックを構築することを特徴とする。
【００１３】
本発明の第５の手段は、上記第２の手段〜第４の手段の何れか１つの手段に係る圧延プラント監視装置により構成されると共に、圧延プラントに近接する場所に設置された監視サーバと、通信網を介して監視サーバと接続されて遠隔設置されると共に、当該監視サーバから取り込んだプロセスデータ及び監視データを用いて圧延プラントの異常解析並びにコイルの品質管理を行う監視端末と、を備えた圧延プラント監視システムであって、監視端末は、取得したいデータの開示時刻と終了時刻とを指定する時刻指定情報を監視サーバへ送信するデータ取得手段と、データ取得手段により通信網を介して監視サーバから時刻指定情報に基づいて取り込んだデータパックを格納する端末側データ蓄積手段と、表示画面を監視画面とする表示装置と、を備えると共に、当該データパックの指定したものを当該端末側データ蓄積手段から取り出してプロセスデータに付与された取り込み時刻の情報と映像データに付与された取り込み時刻の情報とを用い、当該監視画面上に対して当該プロセスデータ、及び当該映像データとしてコイル名で示されるコイルと当該コイルの繋ぎ目である溶接点近傍とのデータを同期再生して表示するとき、当該プロセスデータと同期した当該コイル名で示されるコイルと当該コイルの繋ぎ目である当該溶接点近傍とのデータがデータパックに含まれている時刻と含まれていない時刻とを判定するための同期性成否情報を合わせて表示することを特徴とする。
【００１４】
本発明の第６の手段は、遠隔設置される監視端末と通信網を介して接続されると共に、生産プラントに近接した場所に設置された監視サーバで蓄積したデータを用いて当該監視端末側で当該生産プラントの異常解析並びに生産製品の品質管理を行う生産プラント遠隔監視方法であって、監視サーバ側で生産プラントからプロセスデータ及び少なくとも映像を含む監視データを収集すると共に、当該プロセスデータ及び当該監視データに対して取り込み時刻の情報を付与する第１の工程と、監視サーバ側で取り込み時刻の情報が付与されたプロセスデータを蓄積すると共に、取り込み時刻の情報が付与された監視データを蓄積する第２の工程と、監視端末側でデータ取得に要する開始時刻及び終了時刻、監視データを選択する目的で着目するプロセスデータ、並びに当該プロセスデータの選択条件を指定する第３の工程と、前記監視サーバ側で前記データ取得に要する開始時刻から終了時刻までの前記プロセスデータと着目するプロセスデータとの振る舞いが選択条件に合致した監視データを通信網を介して監視端末へ伝送する第４の工程と、監視端末側でプロセスデータに付与された取り込み時刻の情報と監視データに付与された取り込み時刻の情報とを用いて監視画面上に対して当該プロセスデータ及び当該監視データに含まれる映像データを同期再生して表示する第５の工程と、監視端末側で監視画面上に対してプロセスデータ及び映像データを同期再生して表示するとき、当該プロセスデータと同期した当該映像データが当該プロセスデータと監視データとのセットであるデータパックに含まれている時刻と含まれていない時刻とを判定するための同期性成否情報を合わせて表示する第６の工程と、を有することを特徴とする。
【００１５】
本発明の第７の手段は、遠隔設置される監視端末と通信網を介して接続されると共に、熱間圧延プラント、冷間圧延プラント、及びプロセッシングラインを含む圧延プラントに近接した場所に設置された監視サーバで蓄積したデータを用いて当該監視端末側で当該圧延プラントの異常解析並びに生産製品であるコイルの品質管理を行う圧延プラント遠隔監視方法であって、監視サーバ側で圧延プラントからプロセスデータ及び少なくとも映像を含む監視データを収集する共に、当該プロセスデータ及び当該監視データに対して取り込み時刻の情報を付与する第１の工程と、監視端末側でプロセスデータ及び監視データに対して取り込み時刻の情報を付与する第２の工程と、監視端末側でコイルに対応するコイル名をプロセスデータ及び監視データに付与する第３の工程と、監視端末側で取り込み時刻の情報とコイル名とが付与されたプロセスデータを蓄積すると共に、当該取り込み時刻の情報と当該コイル名とが付与された監視データを蓄積する第４の工程と、監視端末側でコイル名と監視データとを選択する目的で着目するプロセスデータ、並びに当該プロセスデータの選択条件を指定する第５の工程と、監視サーバ側でコイル名に対応したプロセスデータと着目するプロセスデータとの振る舞いが選択条件に合致した監視データを通信網を介して監視端末へ伝送する第６の工程と、監視端末側でプロセスデータに付与された取り込み時刻の情報と監視データに付与された取り込み時刻の情報とを用いて監視画面上に対して当該プロセスデータ、及び当該監視データに含まれる映像データとしてコイル名で示されるコイルと当該コイルの繋ぎ目である溶接点近傍とのデータを同期再生して表示する第７の工程と、監視端末側で監視画面上に対して同期再生表示時にプロセスデータと同期したコイル名で示されるコイルと当該コイルの繋ぎ目である溶接点近傍とのデータが当該コイル名と紐付けられた当該プロセスデータ及び監視データのセットであるデータパックに含まれている時刻と含まれていない時刻とを判定するための同期性成否情報を合わせて表示する第８の工程と、を有することを特徴とする。
【発明の効果】
【００２９】
本発明によれば、生産プラント（圧延プラント）で生産製品（コイル）を遠隔監視するときに監視サーバ側から解析に必要な最小限の映像データをプロセスデータと対応づけて監視端末側にローディングし、解析に先立って生産プラント（圧延プラント）のプロセスデータに加え、生産製品（コイル）に係る品質不良や操業トラブルが発生した時間帯の映像データのみを監視端末側にローディングし、特に監視端末側で監視画面上に対してプロセスデータ及び映像データを同期再生して表示するとき、プロセスデータと同期した映像データがプロセスデータと監視データとのセットであるデータパックに含まれている時刻と含まれていない時刻とを判定するための同期性成否情報を合わせて表示するため、監視端末に対して応答性の良いデータ再生を行うことができ、生産プラント（圧延プラント）に対して遠隔設置された監視端末側でプロセスデータと映像データとを用いた解析を応答性良く行うことが可能になり、その結果として生産プラント（圧延プラント）の監視制御が効率化され、保守性についても向上する。
【図面の簡単な説明】
【００３０】
【図１】本発明の実施例１に係る圧延プラント監視システムの基本構成を示したブロック図である。
【図２】図１に示す圧延プラント監視システムの監視サーバに備えられる時刻付与手段の動作処理を示したフローチャートである。
【図３】図１に示す圧延プラント監視システムの監視サーバに備えられるプロセスデータ蓄積手段のプロセスデータを例示した模式図である。
【図４】図１に示す圧延プラント監視システムの監視サーバに備えられる映像データ蓄積手段の映像データを例示した模式図である。
【図５】図１に示す圧延プラント監視システムの監視サーバに備えられるデータパック手段の動作処理を示したフローチャートである。
【図６】図５で説明したデータパック手段が映像データを抽出するときの一形態を時刻に対するプロセスデータ（板厚）、映像データとの関係により示した模式図である。
【図７】図５で説明したデータパック手段が映像データを抽出するときの他形態を時刻に対するプロセスデータ（板厚、張力）、映像データとの関係により示した模式図である。
【図８】図１に示す圧延プラント監視システムの監視端末に備えられるデータ取得手段の動作処理を示したフローチャートである。
【図９】図１に示す圧延プラント監視システムの監視端末における監視画面上の表示例を示した図である。
【図１０】本発明の実施例２に係る圧延プラント監視システムの監視端末における監視画面上の表示例を示した図である。
【図１１】本発明の実施例３に係る圧延プラント監視システムの監視サーバに備えられるデータパック手段の動作処理を示したフローチャートである。
【図１２】本発明の実施例４に係る圧延プラント監視システムの監視サーバに備えられるデータパック手段の動作処理を示したフローチャートである。
【図１３】図１２に示す圧延プラント監視システムの監視端末に備えられるデータ取得手段の動作処理を示したフローチャートである。
【発明を実施するための形態】
【００３１】
以下、本発明の生産プラント監視システム、圧延プラント監視装置及びシステム、生産プラント遠隔監視方法、並びに圧延プラント遠隔監視方法について、図面を参照して詳細に説明する。但し、本発明で云う生産プラントとは、圧延プラント、化学プラント、製造ライン等を示すものである。また、一般的に生産プラントには、生産製品の状態を検出・監視するための複数のセンサと撮影手段に代表される監視データ取得手段とが具備され、各センサからはプロセスデータが得られ、監視データ取得手段からは監視データ（撮影手段の場合には映像データ）が得られるものである。
【００３２】
最初に、本発明の生産プラント監視システムに備えられる生産プラント監視装置の技術的概要を簡単に説明する。ここでの生産プラント監視装置は、生産プラントからプロセスデータ及び少なくとも映像を含む監視データを取り込んで蓄積し、その蓄積したプロセスデータ及び監視データを用いて生産プラントにおける異常解析並びに生産製品の品質管理を行うサーバ機能を持つ。その監視サーバは、生産プラントから取り込んだプロセスデータを収集するプロセスデータ収集手段と、生産プラントから取り込んだ監視データを収集する監視データ収集手段と、プロセスデータ及び監視データに対して取り込み時刻の情報を付与する時刻付与手段と、取り込み時刻の情報が付与されたプロセスデータを蓄積するプロセスデータ蓄積手段と、取り込み時刻の情報が付与された監視データを蓄積する監視データ蓄積手段と、指定された取り込み開始時刻から取り込み終了時刻までの間、プロセスデータ蓄積手段からプロセスデータを抽出すると共に、指定された取り込み開始時刻から取り込み終了時刻までの間、監視データ蓄積手段から監視データを抽出してプロセスデータ及び監視データのセットであるデータパックを構築するデータパック手段と、データパックを蓄積するデータ蓄積手段と、を備えることを特色とする。
【００３３】
但し、係る監視サーバにおいて、データパック手段は、プロセスデータの値の振る舞いが所定の条件に合致した時刻を特定し、その時刻に関連付けて監視データ蓄積手段から監視データを選択的に抽出することによりデータパックを構築する機能、或いは監視データに関し、指定されたプロセスデータの値の変動が大きい時間帯にあるデータについてのみを監視データ蓄積手段から抽出してデータパックを構築する機能、或いは監視データに関し、指定されたプロセスデータの値の変動が大きい時間帯にあるデータについては、大きな解像度で監視データ蓄積手段から抽出し、プロセスデータの値の変動が小さい時間帯にあるデータについては、小さな解像度で監視データ蓄積手段から抽出してデータパックを構築する機能、或いは監視データに含まれる映像データに関し、指定されたプロセスデータの値の変動が大きい時間帯にあるデータについては、単位時間の映像コマ数を大きな値として監視データ蓄積手段から抽出し、プロセスデータの値の変動が小さい時間帯にあるデータについては、単位時間の映像コマ数を小さな値として監視データ蓄積手段から抽出してデータパックを構築する機能の何れかを持つものである。
【００３４】
そこで、本発明の生産プラント監視システムは、上述した機能構成の生産プラントに近接した場所に設置された監視サーバと、通信網（公衆網）を介して監視サーバと接続されて遠隔設置されると共に、監視サーバから取り込んだプロセスデータ及び監視データを用いて生産プラントの異常解析並びに生産製品の品質管理を行う監視端末と、を備えて構成される。因みに、監視サーバ及び監視端末は、よく知られているように、ＣＰＵ、主メモリ、補助記憶部（ＨＤＤ）等による記憶装置、表示装置、キーボードマウス等の入出力装置を備えて構成される情報処理（コンピュータ）機能を有するもので、通信網（公衆網）の代表であるインターネットを経由して情報（データ）の授受が可能である。
【００３５】
この生産プラント監視システムにおける監視端末は、取得したいデータの開示時刻と終了時刻とを指定する時刻指定情報を監視サーバへ送信するデータ取得手段と、データ取得手段により通信網を介して監視サーバから時刻指定情報に基づいて取り込んだデータパックを格納する端末側データ蓄積手段と、を備える。また、監視端末は、表示画面を監視画面とする表示装置を備えており、データパックの指定したものを端末側データ蓄積手段から取り出して監視画面上に対してプロセスデータ及び監視データに含まれる映像データを再生して表示する機能、或いはデータパックの指定したものを端末側データ蓄積手段から取り出してプロセスデータに付与された取り込み時刻の情報と監視データに付与された取り込み時刻の情報を用い、監視画面上に対してプロセスデータ及び監視データに含まれる映像データを同期再生して表示する機能を備える。後者では、監視画面上でプロセスデータ及び監視データに含まれる映像データを同期再生して表示するとき、プロセスデータと同期した映像データがデータパックに含まれている時刻と含まれていない時刻とを判定するための同期性成否情報を合わせて表示する機能を持たせることが好ましい。
【００３６】
即ち、監視端末におけるデータ取得手段は、少なくともデータ取り込みの開始及び終了の時刻、着目するプロセスデータ、これらのプロセスデータの許容偏差から成るデータ要求信号を監視サーバへ送信し、これに対して対応して監視サーバから送られてくるデータを取得する。端末側データ蓄積手段は、監視サーバから送信されたデータパックを蓄積する。
【００３７】
その他、監視端末は、端末側データ蓄積手段で蓄積したデータパックの中から解析対象となるデータパックを選択するデータ抽出手段と、プロセスデータと監視データとを再生する再生手段と、を備える。ここでの再生手段は、ユーザが選択した生産製品について、プロセスデータと監視データに含まれる映像データとを同期再生して監視画面上に表示し、ユーザに対して報知する同期再生手段であることが好ましい。尚、上述した同期性成否情報を合わせて表示する機能は、データ抽出手段及び同期再生手段が協働して得られるものである。
【００３８】
以下は、生産製品がコイルであり、生産プラントが熱間圧延プラント、冷間圧延プラント、プロセッシングラインを含む圧延プラントである場合の圧延プラント監視システムについて、幾つかの実施例を挙げて具体的に説明する。
【実施例１】
【００３９】
図１は、本発明の実施例１に係る圧延プラント監視システムの基本構成を示したブロック図である。
【００４０】
この圧延プラント監視システムは、図示されない圧延機が設置された工場内１００に設置された圧延プラント１３５及びそれに近接する場所に設置された監視サーバ（上述した生産プラント監視装置に対応する圧延プラント監視装置と呼ばれても良い）１０１と、遠隔地１５０に設置された監視端末１５１と、これらをインターネット等で接続する通信網である公衆網１７０とから構成され、工場内１００の監視サーバ１０１と遠隔地１５０の監視端末１５１とが公衆網１７０を介して情報（データ）通信を授受できるようになっている。
【００４１】
先ず、工場内１００に設置された監視サーバ１０１及び圧延プラント１３５の処理機能について説明する。
【００４２】
監視サーバ１０１の監視対象は圧延プラント１３５である。ここでの圧延プラント１３５は、第１スタンド１４６、第２スタンド１４７、第３スタンド１４８、第４スタンド１４９の４つのスタンドで圧下力を加えることにより、鋼板１４１を徐々に薄くする。鋼板１４１1は溶接点１４４で後ろ側の鋼板と溶接点１４５で前側の鋼板とが繋がれており、所謂連続圧延が行われる。圧延プラント１３５には鋼板１４１や各種機器の状態を検出するため、種々の張力計１４２、板厚計１４３を含む計測器やカメラ１３９、１４０が取り付けられている。ここでは、一例として張力計１４２が鋼板１４１の第１スタンド１４６と第２スタンド１４７との間の鋼板１４１の張力を計測し、板厚計１４３が鋼板１４１の第４スタンド１４９の出口側の板厚を計測する。一般的に、その他に鋼板１４１の移動速度を検出する板速計、鋼板１４１が各スタンド間で引張られる力を計測する張力計、鋼板１４１の伸びの幅方向のバランスを計測する形状計等が備えられる。ここでは、これらの各種センサ（計測器）で計測したデータを総称してプロセスデータと呼ぶ。
【００４３】
また、カメラ１３９は、第１スタンド１４６の入口側の様子をモニタして映像データとして取り込む。カメラは通常複数備えられ、目的に応じて種々の位置に取り付けられる。第４スタンド１４９の出口側の様子をモニタして映像データとして取り込むカメラ１４０の場合もその一例である。
【００４４】
何れにせよ、鋼板１４１は圧延プラント１３５で圧延された後、溶接点１４４、１４５5の近傍で切断され、生産製品であるコイルとして巻取られる。
【００４５】
圧延プラント１３５の周辺機器である監視サーバ１０１に対してネットワーク１３３を介して接続されたコントローラ１３０は、圧延プラント１３５から実績データを取り込み、圧延プラント１３５を制御すると共に、取り込んだプロセスデータをネットワーク１３３経由で監視サーバ１０１に送信する。
【００４６】
同様に、監視サーバ１０１に対してネットワーク１３３を介して接続された周辺機器であるエンコーダ１３１は、カメラ１３９から取り込んだ映像データをネットワーク１３３経由で監視サーバ１０１に送信する。
【００４７】
監視サーバ１０１は、コントローラ１３０から伝送されるプロセスデータを収集するプロセスデータ収集手段１０３と、プロセスデータ収集手段１０３が収集したプロセスデータを格納して蓄積するプロセスデータ蓄積手段１０４と、エンコーダ１３１から伝送される映像データを収集する映像収集手段１０５と、映像収集手段１０５が収集した映像データを格納して蓄積する映像データ蓄積手段１０６と、プロセスデータと映像データとのそれぞれにデータの収集時刻を特定するための時刻情報を付与する時刻付与手段１０７と、プロセスデータと映像データとに付与するコイル名を上位計算機から受け取ってプロセスデータ蓄積手段１０４と映像データ蓄積手段１０６とに送出するコイル名付与手段１１０と、遠隔地１５０の監視端末１５１からの要求に対して、プロセスデータ蓄積手段１０４と映像データ蓄積手段１０６とに蓄積されているデータの中から要求に該当するデータを抽出し、それらをデータの塊としてパックするデータパック手段１０８と、データパック１１１をデータベース化して蓄積するデータ蓄積手段１０９と、を備えて構成される。
【００４８】
尚、図１中に示すデータ蓄積手段１０９には、データベースのデータパック１１１にはＡＡ０００１のラベルが付加されている。表示装置の監視画面１０２は、データ蓄積手段１０９に蓄積されるデータパック１１１について、格納したいデータを特定したり、或いは蓄積されたデータを表示することができる。
【００４９】
次に、遠隔地１５０に設置された監視端末１５１及び圧延プラント１３５の処理機能について説明する。
【００５０】
監視端末１５１は、ネットワーク１５７に繋がれて表示装置の監視画面１５２上で圧延プラント１３５の状態を監視して表示するもので、遠隔地１５０側のネットワーク１５７に接続されたＧＷ（ゲートウェイ）１５６が公衆網１７０を経由して工場内１００側におけるＧＷ（ゲートウェイ）１３２を介してネットワーク１３３に接続されており、係る接続構成によって監視サーバ１０１との間で信号を授受できる。
【００５１】
この監視端末１５１は、監視画面１５２からユーザが要求したデータに対して監視サーバ１０１に要求情報信号を送信し、対応して得られたデータを取得するデータ取得手段１５３と、データ取得手段１５３が取得したデータを蓄積する端末側データ蓄積手段１５４と、監視画面１５２からユーザが要求した解析対象のデータに対して、端末側データ蓄積手段１５４から該当するデータパックを抽出するデータ抽出手段１５５と、抽出したデータに対してプロセスデータと映像データとを同期再生して表示する同期再生手段１５６と、を備えている。
【００５２】
図２は、監視サーバ１０１に備えられる時刻付与手段１０７の動作処理を示したフローチャートである。
【００５３】
ここで、時刻情報を付与する目的は、プロセスデータ、映像データのそれぞれについて、これらを取得した時刻を記憶するためと、それぞれのデータがどのコイルに対応しているかを特定するための情報を添付するためである。時刻付与手段１０７はタイマで周期的に起動されるものである。実際のシステムでは、必要とされる時刻精度に従って２０ｍｓ〜１００ｍｓ程度で起動されることが多い。
【００５４】
時刻付与手段１０７の動作処理では、先ずプロセスデータの１つについて、コイルの溶接点１４４、１４５がプロセスデータの検出位置を通過したか否かの判定（ステップＳ２０１）を行う。
【００５５】
この判定の結果、溶接点１４４、１４５が検出位置を通過していれば監視サーバ１０１が内部で有している時刻を取り込み、前コイルの抜け時刻と後コイルの進入時刻を特定（ステップＳ２０２）してプロセスデータ蓄積手段１０４に出力した後、全てのプロセスデータに対して処理終了か否かの判定（ステップＳ２０３）を行うが、溶接点１４４、１４５が検出位置を通過していなければジャンプして全てのプロセスデータに対して処理終了か否かの判定（ステップＳ２０３）を行う。
【００５６】
次に、この判定の結果、全てのプロセスデータに対して処理終了でないときは初期処理のコイルの溶接点１４４、１４５がプロセスデータの検出位置を通過したか否かの判定（ステップＳ２０１）の前にリターンして次のプロセスデータに対して各処理を繰り返すようにするが、全てのプロセスデータに対して処理終了であればコイルの溶接点１４４、１４５がカメラ撮像位置を通過したか否かの判定（ステップＳ２０４）を行う。ここではカメラ１３９、１４０が複数台ある場合には何れか１つを対象にするものである。例えばカメラ１３９がミル入側を撮影しているとき、撮像位置はミルの位置である。
【００５７】
この判定の結果、溶接点１４４、１４５が撮影位置を通過していれば監視サーバ１０１1が内部で有している時刻を取り込み、前コイルの抜け時刻と後コイルの進入時刻を特定（ステップＳ２０５）して映像データ蓄積手段１０６に出力した後、全てのカメラ１３９、１４０に対して処理終了か否かの判定（ステップＳ２０６）を行うが、溶接点１４４、１４５が撮影位置を通過していなければジャンプして全てのカメラ１３９、１４０に対して処理終了か否かの判定（ステップＳ２０６）を行う。
【００５８】
更に、この判定の結果、全てのカメラ１３９、１４０に対して処理終了でないときは先のコイルの溶接点１４４、１４５がカメラ撮像位置を通過したか否かの判定（ステップＳ２０４）の前にリターンして次のカメラ（例えばカメラ１３９の後段に該当するカメラ１４０）に対して各処理を繰り返すようにするが、全てのカメラ１３９、１４０に対して処理終了であれば映像データのファイリングタイミングか否かの判定（ステップＳ２０７）を行う。
【００５９】
この判定の結果、映像データのファイリングタイミングであれば映像データに時刻をキーにしたファイル名付与（ステップＳ２０８）を行って映像データ蓄積手段１０６に出力した後、動作処理を終了するが、映像データのファイリングタイミングでなければジャンプしてそのまま動作処理を終了する。
【００６０】
因みに、圧延プラント１３５にカメラ１３９、１４０が複数備えられている場合を想定すると、通常は同一タイミングで映像データをファイリングすることが多いので、本実施例１では映像ファイリングのタイミングが同一である場合を示している。しかし、解像度の異なるカメラ１３９、１４０の場合等であっても、カメラ１３９、１４０毎に異なったタイミングでファイリングすることができる。時刻をキーにしたファイル名付与では、例えば２０１００１３０１０３６．ｍｐｇとする場合を例示できる。
【００６１】
図３は、監視サーバ１０１に備えられるプロセスデータ蓄積手段１０４のプロセスデータを例示した模式図である。
【００６２】
図３を参照すれば、プロセスデータ蓄積手段１０４は、プロセスデータ収集手段１０３3から受信したプロセスデータを格納する時系列プロセスデータ蓄積手段３０１と、各コイルについて各プロセスデータの検出位置に侵入した時刻と検出位置を抜けた時刻とをそれぞれ開始時刻、終了時刻として格納するプロセス時刻情報蓄積手段３０２と、を有して構成される。
【００６３】
このうち、時系列プロセスデータ蓄積手段３０１は、第４スタンド１４９の出口側板厚(Ｆ４Ｄ板厚)、第１スタンド１４６及び第２スタンド１４７間の張力(Ｆ１ Ｆ２張力)、Ｆ１ロール速度等の検出値を取り込み時刻に対応付けて蓄積している。
【００６４】
また、プロセス時刻情報蓄積手段３０２は、コイル毎に各プロセスデータの検出位置に侵入した時刻と抜け時刻とが格納されており、たとえばコイル名Ａ１００１のコイルは第４スタンド１４９出口側板厚の検出位置に２０１０年１月３０日１０時３０分２４．１５０秒に進入したことで、このコイルの板厚の測定が開始され、２０１０年１月３０日１０時３２分１３．３１０秒にコイル抜けにより、このコイルの測定を完了したことが判る。
【００６５】
換言すれば、第４スタンド１４９出口側板厚から検出された時系列データに対して、２０１０年１月３０日１０時３０分２４．１５０秒から２０１０年１月３０日１０時３２分１３．３１０秒まではコイル名Ａ１００１のコイルに対応したデータであることを示している。
【００６６】
図４は、監視サーバ１０１に備えられる映像データ蓄積手段１０６の映像データを例示した模式図である。
【００６７】
図４を参照すれば、映像データ蓄積手段１０６は、映像データ収集手段１０５から受信した映像データを格納する時系列映像データ蓄積手段４０１と、各コイルについて各映像データの撮像位置に侵入した時刻と撮像位置を抜けた時刻とを格納する映像時刻情報蓄積手段４０２と、を有して構成される。
【００６８】
このうち、時系列映像データ蓄積手段４０１は、カメラ１３９、１４０で取り込んだ映像データを１分単位でファイリングし、取り込み時刻に対応付けて蓄積している。図示の例ではカメラ１３９、１４０等で２０１０年１月３０日１０時３０分から１分間の間に取り込んだ映像データが、カメラ毎に２０１００１３０１０３０．ｍｐｇのファイル名で格納され、それ以降は撮影した映像データ対して１分毎に取り込み開始時刻をファイル名として格納している様子を示している。
【００６９】
また、映像時刻情報蓄積手段４０２は、コイル毎に各映像データの撮像位置に侵入した時刻と抜け時刻とが格納されており、例えばコイル名Ａ１００１のコイルはカメラ１４０の撮像位置に２０１０年１月３０日１０時３０分６．１１０秒に進入したことで、このコイルの映像の取り込みが開始され、２０１０年１月３０日１０時３１分４８．４００秒にコイル抜けにより、このコイルの映像の取り込みを終了したことが分かる。
【００７０】
換言すれば、カメラ１３９で撮影された映像データに対して、２０１０年１月３０日１０時３０分６．１１０秒から２０１０年１月３０日１０時３１分４８．４００秒まではコイル名Ａ１００１のコイルに対応した映像であることを示している。他のカメラについても、同様の形態で映像データが蓄積されている。
【００７１】
図５は、監視サーバ１０１に備えられるデータパック手段１０８の動作処理を示したフローチャートである。
【００７２】
データパック手段１０８は、工場内１００で監視サーバ１０１に備えられる表示装置の監視画面１０２又は遠隔地１５０で監視端末１５１に備えられる表示装置の監視画面１５２からユーザにより指定された条件に従って、プロセスデータ蓄積手段１０４と映像データ蓄積手段１０６とから解析対象のデータを抽出し、データ蓄積手段１０９に格納する。
【００７３】
ここでのデータパック手段１０８の動作処理では、先ずユーザが監視画面１０２又は監視画面１５２から入力したデータ取得条件を取り込み、取得の対象となるデータを特定する。本実施例１ではデータ取得条件として、取得の開始時刻及び終了時刻、板厚、張力等の取得すべきプロセスデータを特定する情報、映像データを取得するカメラの名称、映像データの取得タイミングを選択するために着目するプロセスデータとこれらプロセスデータ変動の許容偏差を取り込む。これにより、データ取得開始・終了時刻、プロセスデータ名称、カメラ名称、変動着目プロセスデータと許容偏差を取り込み（ステップＳ５０１）する処理を行う。因みに、プロセスデータの変動が許容値を超えた時刻に関連した映像データのみを選択的に取得すれば、映像データの伝送量を大幅に削減できる。
【００７４】
次に、特定された各プロセスデータに関し、プロセスデータ蓄積手段１０４を検索し、取り込み開始時刻から終了時刻までのデータを抽出（ステップＳ５０２）した後、映像データの取得タイミングを選択するために着目するプロセスデータ（着目信号）について、抽出した範囲で値の変動を調べ、着目信号の変動が取り込んだ偏差を超えている時刻範囲を抽出時刻範囲として特定（ステップＳ５０３）する処理を行う。
【００７５】
引き続き、取得要求のあった映像データに対して、予め定められた手法で決定されるマージンを加えて各映像データに関し、抽出時刻範囲のデータを抽出（ステップＳ５０４）する処理を行う。この結果、監視端末１５１に送信される映像データが抽出されるが、同様に偏差の範囲外となった時刻範囲に対応した映像データも抽出される。実際には、映像データ蓄積手段１０６から、データ抽出の時刻範囲に関連する映像ファイルが抽出されるものである。
【００７６】
更に、取得要求のあった映像データに関し、溶接点近傍のデータを抽出（ステップＳ５０５）する処理を行う。ここでは溶接点の周りの予め定められた一定範囲の映像データを、監視端末１５１に送信する映像データとして抽出するものである。
【００７７】
最後に、プロセスデータ蓄積手段１０４と映像データ蓄積手段１０６とから抽出したデータをデータ蓄積手段１０９に格納（ステップＳ５０６）する処理を行ってから動作処理を終了する。
【００７８】
図６は、図５で説明したデータパック手段１０８が映像データを抽出するときの一形態を時刻に対するプロセスデータ（板厚）、映像データとの関係により示した模式図である。
【００７９】
ここでは、偏差を超えている時刻範囲の特定方法をプロセスデータが板厚計１４３で計測した鋼板１４１の厚みである場合を例として説明する。
【００８０】
図６を参照すれば、抽出した板厚データ６０１に対して、その平均値の周りに許容される板厚の偏差６０２を定義する。そして板厚データ６０１が偏差の範囲外となった時刻範囲を偏差逸脱範囲６０３として特定する。
【００８１】
そこで、取得要求のあった映像データに対して予め定められた手法で決定されるマージン６０４、６０５を加えて映像データを抽出する時刻範囲とし、映像データ６０６を監視端末１５１に送信するデータとして抽出する。同様に板厚データ６０１が偏差の範囲外となった時刻範囲に対応した映像データとして、映像データ６０７を抽出する。更に、取得要求のあった映像データに関し、溶接点近傍のデータを抽出するときには、溶接点６０９の周りの予め定められた一定範囲の映像データ６０８を監視端末１５１に送信するデータとして抽出する。
【００８２】
図７は、図５で説明したデータパック手段１０８が映像データを抽出するときの他形態を時刻に対するプロセスデータ（板厚、張力）、映像データとの関係により示した模式図である。
【００８３】
図６ではプロセスデータが鋼板１４１の厚みである場合を説明したが、着目するプロセスデータは複数であっても構わず、図７では着目するプロセスデータが板厚計１４３で計測した鋼板１４１の厚みと張力計１４２で計測した鋼板１４１の張力との２つである場合を示している。
【００８４】
図７を参照すれば、板厚データ６０１と張力データ７０１とのそれぞれに偏差６０２と偏差７０２とを定義し、板厚データ６０１と張力データ７０１との何れかが偏差の範囲外の時刻を偏差逸脱範囲７０３として特定する。また、マージン７０４、７０５を加えて映像データを抽出する時刻範囲とし、映像データ７０６を監視端末１５１に送信するデータとして抽出したり、偏差の範囲外となった時刻範囲に対応した映像データとして、映像データ７０７を抽出したり、溶接点近傍のデータを抽出するときに溶接点６０９、７０９の周りの予め定められた一定範囲の映像データ７０８を監視端末１５１に送信するデータとして抽出する点は図６で説明した場合と同様である。このようにして、データ蓄積手段１０に格納する映像データ７０６〜７０８を抽出することができる。
【００８５】
因みに、着目するプロセスデータを未入力とするか、偏差の範囲を十分大きくすれば、データパック手段１０８は、取得の開始時刻と終了時刻との間の全ての映像データを抽出する機能にすることにも対応できる。
【００８６】
図８は、監視端末１５１に備えられるデータ取得手段１５３の動作処理を示したフローチャートである。
【００８７】
データ取得手段１５３は、データパック手段１０８が図５で説明した処理手順に従ってデータ蓄積手段１０９に蓄積したデータパック１１１を監視端末１５１側に取り込む。
【００８８】
データ取得手段１５３の動作処理では、先ず監視画面１５２からユーザが入力したデータの取り込み開始・終了時刻、取り込みたいプロセスデータの名称、取り込みたい映像データに対応したカメラの名称、変動着目プロセスデータと許容偏差を取り込む。これにより、取り込み開始・終了時刻、プロセスデータ名称、カメラ名称、変動着目プロセスデータと許容偏差の取り込み、並びに監視サーバ１０１へデータ送信（ステップＳ８０１）する処理を行う。
【００８９】
次に、監視サーバ１０１のデータ蓄積手段１０９に蓄積された対応するデータパック１１１を監視端末１５１にダウンロード（ステップＳ８０２）する処理を行った後、ダウンロードにより取り込んだデータパック１１１を監視端末１５１の端末側データ蓄積手段１５４に保存（ステップＳ８０３）する処理を行ってから動作終了する。
【００９０】
この結果、図１に示される端末側データ蓄積手段１５４に蓄積されたデータパック１５７は、表示装置の監視画面１５２からのユーザ要求に従ってリスト形式等で監視画面１５２上に表示される。
【００９１】
尚、データ抽出手段１５５は、監視画面１５２でユーザが要求したデータパック名に対し、対応したデータパック１５７を端末側データ蓄積手段１５４から抽出して同期再生手段１５６に引き渡す。これにより、同期再生手段１５６は、プロセスデータと映像データとを同期再生して監視画面１５２上に表示する。因みに、プロセスデータ及び映像データに関し、の同期再生の技術は周知であり、例えば特開平５−７９９５１号公報等に開示された技術をそのまま適用できるものである。
【００９２】
図９は、監視端末１５１における監視画面１５２上の表示例を示した図である。ここでは、監視画面１５２上にプロセスデータ９０１と映像データ９０２とが同期再生されて表示されている。監視画面１５２上のタイムインジケータ９０３は、表示されている映像データ９０２と時刻とが同期された箇所を示している。即ち、現在再生されている映像データ９０２とタイムインジケータ９０３とが存在している箇所のプロセスデータは、同一時刻に採取されたデータである。映像データ９０２の再生中は、タイムインジケータ９０３が再生中の映像時刻の進展に従って画面上を左側から右側へ移動する。また、タイムインジケータ９０３をマウスでクリックして左右に動かすと、その映像データ９０２がその時刻の映像に切り替わる。従って、例えば鋼板１４１が映像上で波うちしていた時刻で、鋼板１４１の板厚や張力の変動がどうだったか、鋼板１４１の板厚や張力が変動していた時刻の映像がどうだったか等について、映像データ解析とプロセスデータ解析とを駆使して多面的に解析することができる。
【００９３】
実施例１に係る圧延プラント監視システムでは、圧延プラント１３５から得られるプロセスデータと映像データとを扱う場合を説明したが、映像データの代わりに音声データが収集される場合でも、同様な構成で適用することができる。また、プロセスデータと映像データ及び音声データが混在している視聴系データである場合でも、同様な構成で適用することができる。但し、監視画面１５２上でプロセスデータ及び映像データを同期して再生して表示する機能上、少なくとも取得された映像を含む監視データを蓄積する監視データ蓄積手段を備える必要がある。更に、実施例１では指定された開始時刻から終了時刻までの間、全ての時刻のプロセスデータ及び或るプロセスデータの変動の大きい時刻に紐づいた映像データを抽出し、遠隔地１５０に設置された監視端末１５１に伝送する機能構成を説明したが、プロセスデータに関し、も変動の大きい箇所に限定して伝送することも可能であるので、こうした場合には一層伝送容量を縮小することができる。
【実施例２】
【００９４】
図１０は、本発明の実施例２に係る圧延プラント監視システムの監視端末１５１における監視画面１５２上の表示例を示した図である。
【００９５】
ここでの表示装置の表示画面である監視画面１５２は、プロセスデータ表示箇所について、映像データが紐付いている時刻を明示したものである。
【００９６】
図１０を参照して説明すれば、係る監視画面１５２上では、プロセスデータ表示部の赤線等で示される映像データ抽出時刻帯１００１が付加されており、この映像データ抽出時刻帯１００１で映像データが抽出されてデータパック１１１に含まれて伝送されることを示している。この映像データ抽出時刻帯１００１についての赤線の表示は、例えば図６に示した映像データ６０６〜６０８や図７に示した映像データ７０６〜７０８等の時刻に対応付けて表示すれば良いものである。
【００９７】
実施例２に係る監視画面１５２上での表示の結果、ユーザは表示されているプロセスデータの中で映像データを同期再生して表示可能な部位を容易に知ることができるため、解析効率を高めることができる。
【実施例３】
【００９８】
図１１は、本発明の実施例３に係る圧延プラント監視システムの監視サーバ１０１に備えられるデータパック手段１０８の動作処理を示したフローチャートである。
【００９９】
ここでのデータパック手段１０８は、映像データに関し、プロセスデータの変動が許容値を超えた時刻に関連したデータは高い解像度で監視端末１５１に伝送し、それ以外の時刻のデータは低い解像度で監視端末１５１に伝送する機能を持たせたものである。但し、係るデータパック手段１０８の動作処理では、図５で説明した実施例１に係るデータパック手段１０８の動作処理と対比した場合、前半部分は共通している。
【０１００】
図１１を参照して説明すれば、データパック手段１０８の動作処理では、図５の場合と共通する動作処理として、データ取得開始・終了時刻、プロセスデータ名称、カメラ名称、変動着目プロセスデータと許容偏差を取り込み（ステップＳ１１０１）する処理と、特定された各プロセスデータに関し、プロセスデータ蓄積手段１０４を検索し、取り込み開始時刻から終了時刻までのデータを抽出（ステップＳ１１０２）する処理と、この後に行われる映像データの取得タイミングを選択するために着目するプロセスデータ（着目信号）について、抽出した範囲で値の変動を調べ、着目信号変動が取り込んだ偏差を超えている時刻範囲を抽出時刻範囲として特定（ステップＳ１１０３）する処理と、を行う。
【０１０１】
引き続き、異なる処理として、取得要求のあった各映像データに関し、プロセスデータの変動が許容値を超えた時刻範囲に対して予め定められた手法で決定されるマージンを加えた時刻範囲を高い解像度で映像データを抽出する時刻範囲として決定し、それ以外の時刻のデータは低い解像度で抽出する。これにより、各映像データに関し、抽出時刻範囲のデータを高解像度で、それ以外のデータを低解像度で抽出（ステップＳ１１０４）する処理を行う。
【０１０２】
また、取得要求のあった各映像データに関し、溶接点近傍のデータを高解像度で、それ以外のデータを低解像度で抽出（ステップＳ１１０５）する処理を行う。ここでは、実施例１で図６を参照して説明した場合と同様に、溶接点６０９の周りの予め定められた一定範囲の映像データ６０８を監視端末１５１に対して高解像度で送信する映像データとして抽出する。
【０１０３】
最後に、プロセスデータ蓄積手段１０４と映像データ蓄積手段１０６とから抽出したデータをデータ蓄積手段１０９に格納（ステップＳ１１０６）する処理を行ってから動作処理を終了する。
【０１０４】
実施例３によれば、映像データをプロセスデータに紐付けて連続的に再生できると共に、重要度の低い時刻の映像データの解像度を下げることにより、映像データの伝送量を減少させることができる。尚、解像度を下げるときの処理として、１画面の情報量を減少させる手法が一般的であるが、単位時間のコマ数を減少させる手法を適用することもできる。例えば高解像度でデータを伝送する時間帯では毎秒２０コマの映像データを伝送し、低解像度でデータを伝送する時間帯では毎秒２コマのデータを伝送すれば、低解像度でデータを伝送する時間帯の伝送データ量を高解像度でデータを伝送する時間帯の１／１０に低減することができる。
【実施例４】
【０１０５】
図１２は、本発明の実施例４に係る圧延プラント監視システムの監視サーバ１０１に備えられるデータパック手段１０８の動作処理を示したフローチャートである。
【０１０６】
ここでのデータパック手段１０８は、データ取得要求を上述した各実施例のように時刻範囲でなく、コイル名で指定する場合を示している。但し、データパック手段１０８の基本機能自体は上述したように、工場内１００で監視サーバ１０１に備えられる表示装置の監視画面１０２又は遠隔地１５０で監視端末１５１に備えられる表示装置の監視画面１５２からユーザにより指定された条件に従って、プロセスデータ蓄積手段１０４と映像データ蓄積手段１０６とから解析対象のデータを抽出し、データ蓄積手段１０９に格納するものである。
【０１０７】
図１２を参照して説明すれば、データパック手段１０８の動作処理では、先ずユーザが監視画面１０２又は監視画面１５２から入力したデータ取得条件を取り込み、取得の対象となるデータを特定する。本実施例４ではデータ取得条件として、取得の対象とするコイル名、板厚、張力等の取得すべきプロセスデータを特定する情報、映像データを取得するカメラの名称、映像データの取得タイミングを選択するために着目するプロセスデータとこれらプロセスデータ変動の許容偏差を取り込む。これにより、コイル名、プロセスデータ名称、カメラ名称、変動着目プロセスデータと許容偏差を取り込み（ステップＳ１２０１）する処理を行う。因みに、ここでもプロセスデータの変動が許容値を超えた時刻に関連した映像データのみを選択的に取得することにより、映像データの伝送量を削減する。
【０１０８】
次に、特定された各プロセスデータに関し、プロセスデータ蓄積手段１０４を検索し、該当コイルについて、このコイルの進入時刻から抜け時刻までのデータを抽出（ステップＳ１２０２）する。即ち、ここではプロセスデータ蓄積手段１０４におけるプロセス時刻情報蓄積手段３０２の該当コイル名と該当データ名とを検索し、コイルの進入時刻（開始時刻）と抜け時刻（終了時刻）とを抽出する。例えば図３中のコイル名Ａ１００１の第４スタンド１４９出口側Ｆ４Ｄ板厚は２０１０年１月３０日１０時３０分２４．１５０秒に検出が開始され、２０１０年１月３０日１０時３２分１３．３１０秒に検出が終了したことが、プロセス時刻情報蓄積手段３０２に蓄積されている情報から判る。このようにして、該当コイル名について、該当データの検出開始時刻に対応する進入時刻と終了時刻に対応する抜け時刻とを抽出できる。具体的には、この後に時系列プロセスデータ蓄積手段３０１から該当プロセスデータに関し、抽出した開始時刻から終了時刻までのデータを抽出した結果、該当プロセスデータに関し、抽出要求があったコイルのデータ（進入時刻、抜け時刻）を抽出するものである。
【０１０９】
更に、映像データの取得タイミングを選択するために着目するプロセスデータ（着目信号）について、コイルの進入時刻から抜け時刻までの間、抽出した範囲で値の変動を調べ、着目信号変動が取り込んだ偏差を超えている時刻範囲を抽出時刻範囲として特定（ステップＳ１２０３）する処理を行う。
【０１１０】
引き続き、取得要求のあった映像データに対して、予め定められた手法で決定されるマージンを加えて各映像データに関し、抽出時刻範囲と溶接点近傍のデータを抽出（ステップＳ１２０４）する処理を行う。
【０１１１】
最後に、プロセスデータ蓄積手段１０４と映像データ蓄積手段１０６とから抽出したデータをデータ蓄積手段１０９に格納（ステップＳ１２０５）する処理を行ってから動作処理を終了する。
【０１１２】
尚、初期的に指定するコイル名は、単一でも複数でも良く、また複数のコイルが連続している場合や不連続に圧延されたコイルを対象としても良い。この実施例４においても、実施例３の場合と同様に、映像データに関し、プロセスデータの変動の大きい時刻に紐づいたデータに関し、は高解像度で、それ以外のデータは低解像度で伝送するようにしても良い。
【０１１３】
図１３は、実施例４に係る圧延プラント監視システムの監視端末１５１に備えられるデータ取得手段１５３の動作処理を示したフローチャートである。
【０１１４】
ここでのデータ取得手段１５３は、データパック手段１０８が図１２で説明した処理手順に従ってデータ蓄積手段１０９に蓄積したデータパック１１１を監視端末１５１側に取り込む機能を持つ。
【０１１５】
図１３を参照して説明すれば、データ取得手段１５３の動作処理では、先ず監視画面１５２からユーザが入力したコイル名、取り込みたいプロセスデータの名称、取り込みたい映像データに対応したカメラの名称、変動着目プロセスデータと許容偏差を取り込む。これによりコイル名、プロセスデータ名称、カメラ名称、変動着目プロセスデータと許容偏差の取り込み、並びに監視サーバ１０１へデータ送信（ステップＳ１３０１）する処理を行う。
【０１１６】
次に、監視サーバ１０１のデータ蓄積手段１０９に蓄積された対応する送信データパック１１１を監視端末１５１にダウンロード（ステップＳ１３０２）する処理を行った後、ダウンロードにより取り込んだデータパック１１１を監視端末１５１の端末側データ蓄積手段１５４に保存（ステップＳ１３０３）する処理を行ってから動作終了する。
【０１１７】
因みに、各実施例の圧延プラント監視システムでは、プロセスデータの変動の大きさに着目して映像データの取得の有無を決定したが、プロセスデータをフーリエ変換して得られた周波数成分やプロセスデータの絶対値に着目することも考えられる他、溶接点からの距離等に着目してコイル毎に一律で映像データを伝送する手法も考えられる。
【０１１８】
また、上述した各実施例では、生産製品をコイルとした場合の圧延プラント１３５を対象とする圧延プラント監視装置（監視サーバ１０１）を含む圧延プラント監視システムについて説明したが、コイル以外の生産製品を対象とした他の生産プラントについても、同様に適用できる。例えばビールの発酵の映像データとその状態温度等のプロセスデータとにより製造ラインを監視したいビール生産工場や、或いは飲料（液体）の映像データとその流量等のプロセスデータとにより製造ラインを監視したい食品プラント等にも同様の形態で適用することが可能である。
【０１１９】
ところで、上述した各実施例の圧延プラント監視システムに係る技術的概要は、遠隔地１５０に設置される監視端末１５１と通信網（公衆網１７０）を介して接続されると共に、熱間圧延プラント、冷間圧延プラント、及びプロセッシングラインを含む圧延プラント１３５に近接した場所に設置される監視サーバ１０１で蓄積したデータを用いて監視端末１５１側で圧延プラント１３５の異常解析並びに生産製品であるコイルの品質管理を行う圧延プラント遠隔監視方法として換言することができる。
【０１２０】
こうした場合、本願発明の圧延プラント遠隔監視方法は、監視サーバ１０１側で圧延プラント１３５からプロセスデータ及び少なくとも映像を含む監視データを収集する共に、プロセスデータ及び監視データに対して取り込み時刻の情報を付与する第１の工程と、監視端末１５１側でプロセスデータ及び監視データに対して取り込み時刻の情報を付与する第２の工程と、監視端末１５１側でコイルに対応するコイル名をプロセスデータ及び監視データに付与する第３の工程と、監視端末１５１側で取り込み時刻の情報とコイル名とが付与されたプロセスデータを蓄積すると共に、取り込み時刻の情報とコイル名とが付与された監視データを蓄積する第４の工程と、監視端末１５１側でコイル名と監視データとを選択する目的で着目するプロセスデータ、並びにプロセスデータの選択条件を指定する第５の工程と、監視サーバ１０１側でコイル名に対応したプロセスデータと着目するプロセスデータとの振る舞いが選択条件に合致した監視データを通信網（公衆網１７０）を介して監視端末１５１へ伝送する第６の工程と、監視端末１５１側でプロセスデータに付与された取り込み時刻の情報と監視データに付与された取り込み時刻の情報とを用いて監視画面１５２上に対してプロセスデータ及び監視データに含まれる映像データを同期再生して表示する第７の工程と、監視端末１５１側で監視画面１５２上に対して同期再生表示時にプロセスデータと同期したコイル名で示されるコイルとコイルの繋ぎ目である溶接点近傍とのデータがコイル名と紐付けられたプロセスデータ及び監視データのセットであるデータパックに含まれている時刻と含まれていない時刻とを判定するための同期性成否情報を合わせて表示する第８の工程と、を有するものとなる。
【０１２１】
また、生産製品がコイル以外であるときのプラント遠隔監視方法の１つは、遠隔地１５０に設置される監視端末１５１と通信網（公衆網１７０）を介して接続されると共に、生産プラントに近接した場所に設置された監視サーバ１０１で蓄積したデータを用いて監視端末１５１側で生産プラントの異常解析並びに生産製品の品質管理を行うものであって、監視サーバ１０１側で生産プラントからプロセスデータ及び少なくとも映像を含む監視データを収集すると共に、プロセスデータ及び監視データに対して取り込み時刻の情報を付与する第１の工程と、監視サーバ１０１側で取り込み時刻の情報が付与されたプロセスデータを蓄積すると共に、取り込み時刻の情報が付与された監視データを蓄積する第２の工程と、監視端末１５１側でデータ取得に要する開始時刻及び終了時刻、監視データを選択する目的で着目するプロセスデータ、並びにプロセスデータの選択条件を指定する第３の工程と、監視サーバ１０１側でデータ取得に要する開始時刻から終了時刻までのプロセスデータと着目するプロセスデータとの振る舞いが選択条件に合致した監視データを通信網（公衆網１７０）を介して監視端末１５１側へ伝送する第４の工程と、監視端末１５１側でプロセスデータに付与された取り込み時刻の情報と監視データに付与された取り込み時刻の情報とを用いて監視画面１５２上に対してプロセスデータ及び監視データに含まれる映像データを同期再生して表示する第５の工程と、監視端末１５１側で監視画面１５２上に対してプロセスデータ及び映像データを同期再生して表示するとき、プロセスデータと同期した映像データがプロセスデータと監視データとのセットであるデータパックに含まれている時刻と含まれていない時刻とを判定するための同期性成否情報を合わせて表示する第６の工程と、を有するものとなる。
【符号の説明】
【０１２３】
１００  工場内
１０１  監視サーバ
１０２  監視画面
１０３  プロセスデータ収集手段
１０４  プロセスデータ蓄積手段
１０５  映像収集手段
１０６  映像データ蓄積手段
１０７  時刻付与手段
１０８  データパック手段
１０９  データ蓄積手段
１３５  圧延プラント
１５１  監視端末
１５２  監視画面
１５３  データ取得手段
１５４  端末側データ蓄積手段
１５５  データ抽出手段
１５６  同期再生手段
【図２】
0005135393.tif 000002
【図３】
0005135393.tif 000003
【図４】
0005135393.tif 000004
【図５】
0005135393.tif 000005
【図６】
0005135393.tif 000006
【図７】
0005135393.tif 000007
【図８】
0005135393.tif 000008
【図１１】
0005135393.tif 000009
【図１２】
0005135393.tif 000010
【図１３】
0005135393.tif 000011
【図１】
0005135393.tif 000012
【図９】
0005135393.tif 000013
【図１０】
0005135393.tif 000014